(57)【要約】【課題】複数のレンズ保持部材をカム筒により駆動するレンズ鏡胴において、カム筒の回転角を拡大させることができると共に、組立、分解が容易なレンズ鏡胴を提供する。【解決手段】第１及び第２カム溝３３，３４にフォロアピン５２，６２を導く案内溝として共通案内溝３５を採用すると共に、スプリング５５により第１及び第２レンズ保持部材５０，６０を互いに離隔させる向きに付勢する構成とした。これにより、カム筒３０の回転角を拡大でき、フォロアピン５２，６２，７２の円滑な移動が可能となると共に、組立及び分解が容易となる。【選択図】  図６
2006017903.tif 000002
【特許請求の範囲】
【請求項１】
光軸方向にカム作用をなす複数のカム溝を有し光軸回りに回動自在に支持されるカム筒と、前記複数のカム溝に挿入されるフォロアピンをそれぞれ有すると共に光軸方向にのみ移動自在に支持された複数のレンズ保持部材とを備え、
前記カム筒は、前記複数のレンズ保持部材のうち光軸方向において隣り合う２つのレンズ保持部材のフォロアピンを対応する前記カム溝にそれぞれ導くための光軸方向に伸長する共通案内溝を有し、
隣り合う前記レンズ保持部材は、付勢手段により光軸方向において互いに離隔させる向きに付勢されている、
ことを特徴とするレンズ鏡胴。
【請求項２】
前記複数のレンズ保持部材は、光軸方向に順に配列された第１レンズ保持部材、第２レンズ保持部材及び第３レンズ保持部材を含み、
前記カム筒は、前記第１及び第２レンズ保持部材のフォロアピンを前記第１及び第２カム溝へそれぞれ導く共通案内溝と、前記第１及び第２レンズ保持部材のフォロアピンが前記第１及び第２カム溝の終端部に位置付けられた状態において前記第３レンズ保持部材のフォロアピンを第３カム溝へ導くための光軸方向に伸長する案内溝とを有する、
ことを特徴とする請求項１に記載のレンズ鏡胴。
【請求項３】
前記カム筒と同軸に配置され、かつ、回動不能に固定されたガイド筒を有し、
前記ガイド筒は、前記第１、第２及び第３レンズ保持部材のフォロアピンを光軸方向に案内する長尺な共通のガイド孔を有する、
ことを特徴とする請求項２に記載のレンズ鏡胴。
【請求項４】
前記付勢手段は、隣り合う前記レンズ保持部材のフォロアピンとこれに対応する前記カム溝との係合を維持するように付勢するスプリングである、
ことを特徴とする請求項１ないし３のいずれかに記載のレンズ鏡胴。
【請求項５】
前記付勢手段は、隣り合う前記レンズ保持部材に各々取り付けられ、前記レンズ保持部材のフォロアピンとこれに対応する前記カム溝との係合を維持するように磁力により付勢する永久磁石である、
ことを特徴とする請求項１ないし３のいずれかに記載のレンズ鏡胴。
【請求項６】
前記共通案内溝及び案内溝は、前記第１、第２及び第３レンズ保持部材のフォロアピンを光軸方向における前記カム筒の一方側から挿入可能に形成されている、
ことを特徴とする請求項２ないし５のいずれかに記載のレンズ鏡胴。
【発明の詳細な説明】
【技術分野】
【０００１】
本発明は、レンズをそれぞれ保持した複数のレンズ保持部材をカム筒により光軸方向に移動させるレンズ鏡胴に関する。
【背景技術】
【０００２】
従来のレンズ鏡胴としては、光軸方向に案内する直進溝をもつ固定筒、レンズを保持し固定筒の内側において光軸方向に移動自在に設けられた複数（４つ）のレンズ保持部材、固定筒の外周に回転自在に支持され複数のカム溝を持つカム筒、光軸方向に案内するガイドロッド及びリードスクリューを備え、２つのレンズ保持部材をリードスクリュー及びガイドロッドで移動させるべくそれぞれに雌ねじ部及び連結孔を設けて、それぞれのレンズ保持部材を相対的に移動させて変倍動作及び合焦動作を行わせるものが知られている（例えば、特許文献１参照）。
【０００３】
【特許文献１】特開２００１−２４２３６８号公報
【発明の開示】
【発明が解決しようとする課題】
【０００４】
ところで、上記のレンズ鏡胴において、カム筒に形成された２種類のカム溝は、それぞれ３本ずつ重ならないように円周方向に配置されている。したがって、カム作用により光軸方向に移動させる移動量を大きくするために、カム溝を長くしようとしても、カム筒の周方向におけるスペース的な制約により困難であり、一方、カム溝の光軸方向に対する傾斜角度を大きくすると圧力角が大きくなってカム筒を回転させるのに大きな駆動力が必要になり、駆動モータ等の大型化、消費電力の増加等を招く。
また、上記のレンズ鏡胴では、カム筒に２種類のカム溝が形成されているが、カム筒にさらに別のカム溝を形成して、３つのレンズ保持部材をカム筒により光軸方向に移動させる構造とすると、上記の問題は一層顕著となると共に、３つのレンズ保持部材をカム筒へ組み付ける作業やカム筒から取り外す分解作業も複雑となり組立工数も増加する。
【０００５】
本発明は、上記の事情に鑑みて成されたものであり、その目的とするところは、複数のレンズ保持部材をカム筒により駆動するレンズ鏡胴において、カム筒の回転角を拡大できると共に、組立及び分解が容易なレンズ鏡胴を提供することにある。
【課題を解決するための手段】
【０００６】
本発明に係るレンズ鏡胴は、光軸方向にカム作用をなす複数のカム溝を有し光軸回りに回動自在に支持されるカム筒と、複数のカム溝に挿入されるフォロアピンをそれぞれ有すると共に光軸方向にのみ移動自在に支持された複数のレンズ保持部材とを備え、カム筒は、複数のレンズ保持部材のうち光軸方向において隣り合うレンズ保持部材のフォロアピンを対応するカム溝にそれぞれ導くための光軸方向に伸長する共通案内溝を有し、隣り合うレンズ保持部材は、付勢手段により光軸方向において互いに離隔させる向きに付勢されている、ことを特徴としている。
この構成によれば、共通案内溝は、隣り合うレンズ保持部材のフォロアピンを対応するカム溝へそれぞれ導くのに共通して使用されるため、各々のフォロアピンを対応するカム溝へ導く案内溝を別個に形成した場合に比べて、周方向における有効なスペースを確保できる。したがって、その分だけ隣り合うレンズ保持部材のフォロアピンが挿入されるカム溝を長くすることができ、このカム溝の圧力角（傾斜角度）を小さく維持しつつ、駆動量（光軸方向へ移動させる移動量）を大きくすることができる。また、又、隣り合うレンズ保持部材をカム筒に組み付ける際においては、付勢手段はこれらのレンズ保持部材を離隔させるように働くので、これらのレンズ保持部材のフォロアピンを対応するカム溝に挿入する際に、後から挿入したレンズ保持部材のフォロアピンが前に挿入したレンズ保持部材のカム溝に誤挿入されるのを防止できる。
【０００７】
上記構成において、複数のレンズ保持部材は、光軸方向に順に配列された第１レンズ保持部材、第２レンズ保持部材及び第３レンズ保持部材を含み、カム筒は、第１及び第２レンズ保持部材のフォロアピンを第１及び第２カム溝へそれぞれ導く共通案内溝と、第１及び第２レンズ保持部材のフォロアピンが第１及び第２カム溝の終端部に位置付けられた状態において第３レンズ保持部材のフォロアピンを第３カム溝へ導くための光軸方向に伸長する案内溝とを有する、構成を採用できる。
この構成によれば、第３カム溝の案内溝を第１及び第２カム溝の終端部に対応して設けたので、第１及び第２カム溝だけでなく第３カム溝を長くすることができる。
【０００８】
上記構成において、カム筒と同軸に配置され、かつ、回転不能に固定されたガイド筒を有し、ガイド筒は、第１、第２及び第３レンズ保持部材のフォロアピンを光軸方向に案内する長尺な共通のガイド孔を有する、構成を採用できる。
この構成によれば、組み付けの際は、共通案内溝とガイド孔とが合致するようにカム筒を回転させ、第１及び第２レンズ保持部材のフォロアピンを第１及び第２カム溝へそれぞれ挿入する。そして、カム筒をガイド筒に対して回転させて第１及び第２レンズ保持部材のフォロアピンを第１及び第２カム溝の終端部に当接させることにより、案内溝をガイド孔に合致させ、第３レンズ保持部材のフォロアピンを第３カム溝へ挿入する。また、分解に際しては、案内溝をガイド孔と合致させて第３レンズ保持部材をカム筒から外し、さらに、カム筒をガイド筒に対して逆向きに回転させフォロアピンを共通案内溝に位置付けることにより、第１及び第２レンズ保持部材をカム筒から外す。このように、カム筒をガイド筒に対して適宜回転させると、カム筒及びガイド筒が各々のフォロアピンを挿抜可能な位置に位置決めされるため、組み付け作業及び分解作業が容易になる。
【０００９】
上記構成において、付勢手段は、隣り合うレンズ保持部材のフォロアピンとこれに対応するカム溝との係合を維持するように付勢するスプリングである、構成を採用できる。
この構成によれば、レンズ保持部材をカム筒に組み付ける際においては、フォロアピンがカム溝に誤挿入されるのを防止できると共に、レンズ保持部材を駆動中においては、確実なカム作用が得られる。
【００１０】
上記構成において、付勢手段は、隣り合うレンズ保持部材に各々取り付けられ、レンズ保持部材のフォロアピンとこれに対応するカム溝との係合を維持するように磁力により付勢する永久磁石である、構成を採用できる。
この構成によれば、スプリングを用いる場合と同様の作用、効果に加えて、レンズ保持部材のカム筒への組み付け作業が容易になる。
【００１１】
上記構成において、共通案内溝及び案内溝は、第１、第２及び第３フォロアピンを光軸方向におけるカム筒の一方側から挿入可能に形成されている、構成を採用できる。
この構成によれば、第１、第２及び第３レンズ保持部材をカム筒に対して一方側から組み付けることができるので、組み付け作業が容易となる。
【発明の効果】
【００１２】
本発明のレンズ鏡胴によれば、複数のレンズ保持部材を共通のカム筒により円滑に移動させることができると共に、組立及び分解が容易となる。
【発明を実施するための最良の形態】
【００１３】
以下、本発明の最良の実施形態について、添付図面を参照しつつ説明する。
図１ないし図１５は、本発明に係るレンズ鏡胴を組み込んだレンズ駆動装置の一実施形態を示すものであり、図１は装置の正面図、図２ないし図４は装置の断面図、図５はカム筒の側面図及び正面図、図６はカム筒の内周面の展開図、図７はガイド筒の側面図及び正面図、図８はガイド筒の内周面の展開図、図９は第１レンズ保持部材の側面図及び正面図、図１０は第２レンズ保持部材の側面図及び正面図、図１１は第３レンズ保持部材の側面図及び正面図、図１２は組み付けの際のフォロアピンとカム溝及び案内溝の関係を示す図、及び図１３ないし図１５はレンズ保持部材のカム筒への組み付け手順を示す断面図である。
【００１４】
この装置は、図１ないし図４に示すように、ガラスフィルタ１１及び撮像素子としてのＣＣＤ１２が取り付けられたベース１０、ベース１０に固定された固定筒２０、固定筒２０の内側において回転自在にかつ光軸方向Ｌに移動自在に支持されたカム筒３０、カム筒３０の内側に設けられたガイド筒４０、レンズＧ１を保持しカム筒３０の内側において光軸方向Ｌに移動自在に支持された第１レンズ保持部材５０、カム筒３０の内側の第１レンズ保持部材５０の後方においてレンズＧ２を保持し光軸方向Ｌに移動自在に支持された第２レンズ保持部材６０、カム筒３０の内側の第２レンズ保持部材６０の後方においてレンズＧ３を保持し光軸方向Ｌに移動自在に支持された第３レンズ保持部材７０、第３レンズ保持部材７０の後方においてレンズＧ４を保持しベース１０に対して光軸方向Ｌに移動自在に支持された第４レンズ保持部材８０、カム筒３０を駆動する駆動機構９０、第４レンズ保持部材８０を駆動する駆動機構１００、第２レンズ保持部材６０と第３レンズ保持部材７０の間でシャッター機構（不図示）を保持するシャッター保持部材１２０、第１レンズ保持部材５０と第２レンズ保持部材６０の間に介在する付勢手段としてのスプリング５５、シャッター保持部材１２０と第３レンズ保持部材７０との間に介在するスプリング７５等を備えている。
【００１５】
この装置において、レンズＧ１は第１レンズ群、レンズＧ２は第２レンズ群、レンズＧ３は第３レンズ群、レンズＧ４は第４レンズ群をそれぞれ形成し、被写体光が光軸方向ＬからレンズＧ１に進入し、レンズＧ２ないしＧ４を経てＣＣＤ１２に到達する。
そして、第１ないし第４レンズ群が光軸方向Ｌにおいて相対的に移動させられることにより、ＣＣＤ１２の結像面に対して被写体のズーミング及びフォーカシングが行われる。
【００１６】
固定筒２０は、図１及び図２に示すように、光軸方向Ｌに軸心を持つように樹脂材料により円筒状に形成されてベース１０に固着されている。固定筒２０の内周面２０ａには、カム筒３０の外周面に固定された後述するフォロアピン３２が挿入されカム筒３０の回転により光軸方向Ｌにカム作用を及ぼすカム溝２１及びガイド筒４０の後述する突出片４４が挿入されるガイド溝２２が形成されている。
【００１７】
カム筒３０は、図２ないし図５に示すように、樹脂材料により円筒状に形成されており、固定筒２０の内側に回転自在に配置されている。
カム筒３０の外周面３０ａには、駆動機構９０から回転駆動力が伝えられる円弧状のラック部３１が形成されていると共に、周方向の等間隔位置に３つのフォロアピン３２が設けられている。
カム筒３０の内周面３０ｂには、図２〜図４及び図６に示すように、光軸方向Ｌにおいて第１レンズ保持部材５０にカム作用を及ぼす３つの第１カム溝３３、光軸方向Ｌにおいて第２レンズ保持部材６０にカム作用を及ぼす３つの第２カム溝３４、光軸方向Ｌにおいて第３レンズ保持部材７０にカム作用を及ぼす３つの第３カム溝３６が形成されている。また、内周面３０ｂには、図６に示すように、第１レンズ保持部材５０及び第２レンズ保持部材６０の後述するフォロアピン５２，６２を第１カム溝３３及び第２カム溝３４にそれぞれ導く共通案内溝３５が形成されていると共に、第３のレンズ保持部材７０の後述するフォロアピン７２を第３カム溝３６に導く案内溝３７が形成されている。
【００１８】
第１、第２及び第３カム溝３３，３４，３６はそれぞれ異なる種類のカムプロフィルを有する。第１カム溝３３は、カム筒３０の回転により、第１レンズ保持部材５０を光軸方向Ｌに往復動させ、第２カム溝３４は、カム筒３０の回転により、第２レンズ保持部材６０を光軸方向Ｌに往復動させる。
共通案内溝３５は、カム筒３０の後端面３０ｅから光軸方向Ｌに伸長すると共に、第１及び第２カム溝３３，３４の一端部にそれぞれ接続されるように形成されている。
【００１９】
第３カム溝３６は、その終端部３６ｅが共通案内溝３５付近まで伸長し、カム筒３０の回転により第３レンズ保持部材７０を光軸方向Ｌに往復動させる。
案内溝３７は、カム筒３０の後端面３０ｅから光軸方向Ｌに伸長すると共に、第３カム溝３６の一端部に接続されるように形成されている。又、案内溝３７は、カム筒３０の周方向において、第１及び第２カム溝３３，３４の終端部３３ｅ，３４ｅに対応する位置に形成されており、後述するように、第１及び第２レンズ保持部材５０，６０のフォロアピン５２，６２が終端部３３ｅ，３４ｅに位置付けられた状態において第３レンズ保持部材７０の後述するフォロアピン７２を第３カム溝３６へ導くように形成されている。
【００２０】
上記のように、カム筒３０の第１カム溝３３，３４に対してフォロアピン５２，６２を導くための経路を共通案内溝３５として共通にしているため、第１カム溝３３，３４に対して案内溝を別々に形成する場合に比べて、回転方向における有効なスペースを確保することができる。
したがって、第１カム溝３３、第２カム溝３４及び第３カム溝３６は、その分だけ長く設定することができ、それ故に、それぞれの圧力角（傾斜角度）を小さく維持しつつ、それぞれの駆動量（光軸方向Ｌへ移動させる移動量）を大きくすることができる。
【００２１】
ガイド筒４０は、図２〜図４、図７及び図８に示すように、カム筒３０と第１，第２及び第３レンズ保持部材５０，６０，７０との間に配置されて、第１，第２及び第３レンズ保持部材５０、６０、７０及びシャッター保持部材１２０の回転を規制しつつ光軸方向Ｌへ往復動自在に案内する。すなわち、ガイド筒４０は、第１、第２及び第３レンズ保持部材５０，６０，７０の後述するフォロアピン５２，６２，７２をそれぞれ受け入れて光軸方向Ｌに案内する３つのガイド孔４１、シャッター保持部材１２０の後述する突出ピン１２２を受け入れて光軸方向Ｌに案内する３つのガイド孔４２、カム筒３０の内周面３０ｂに形成された環状溝３０ｃに掛止される３つの掛止爪４３、固定筒２０のガイド溝２２に挿入される突出片４４等を備えている。
【００２２】
ガイド孔４１は、カム筒３０が回転すると、第１、第２及び第３カム溝３３，３４，３５によりカム作用を及ぼされる後述するフォロアピン５２，６２，７２を光軸方向Ｌにおいてのみ往復動自在に案内する。
尚、ガイド孔４１，４２は、光軸回りの等間隔位置に形成されると共に、光軸方向Ｌに伸長する長孔形状に形成されている。また、突出片４４は固定筒２０のガイド溝２２に挿入されてガイド筒４０の光軸回りの回転を規制する。さらに、第１、第２及び第３レンズ保持部材５０，６０，７０は、ガイド筒４０により回転が規制されるため、光軸周りの互いの位置関係が一定に維持される。
【００２３】
第１レンズ保持部材５０は、図２〜図４及び図９に示すように、樹脂材料により略円筒状に形成され、レンズＧ１を保持すると共に、第１カム溝３３に挿入される３つのフォロアピン５２等を備えている。
フォロアピン５２は、第１レンズ保持部材５０の光軸方向Ｌにおける後端部の外周面５０ａに固定されて、第１カム溝３３の断面形状に相応するように略円柱状に形成され、ガイド孔４１を通じて第１カム溝３３に挿入されている。
【００２４】
第２レンズ保持部材６０は、図２〜図４及び図１０に示すように、樹脂材料により環状に形成され、レンズＧ２を保持すると共に、外周面６０ａに固定され第２カム溝３４に挿入される３つのフォロアピン６２等を備えている。
フォロアピン６２は、その先端部が第２カム溝３４の断面形状に相応するように先細りの円錐形状に形成され、ガイド孔４１を通じて第２カム溝３４に挿入されている。
【００２５】
スプリング５５は、第１レンズ保持部材５０と第２レンズ保持部材６０との間に介在しており、第１及び第２レンズ保持部材５０，６０を光軸方向Ｌにおいて相反する向きに付勢する。これにより、第１及び第２カム溝３３，３４と第１及び第２レンズ保持部材５０，６０のフォロアピン５２，６２との係合が確実に維持される。
【００２６】
第３レンズ保持部材７０は、図２〜図４及び図１１に示すように、樹脂材料により形成され、レンズＧ３を保持すると共に、外周面７０ａに固定されガイド孔４１を通じて第３カム溝３６に挿入される３つのフォロアピン７２等を備えている。
第３レンズ保持部材７０と、その光軸方向Ｌの前方に配置されたシャッター保持部材１２０との間には、スプリング７５が設けられている。スプリング７５は、第３レンズ保持部材７０とシャッター保持部材１２０とを光軸方向Ｌにおいて相反する向きに付勢する。これにより、撮影時において、シャッター保持部材１２０に固定された突出ピン１２２が第３レンズ保持部材７０の光軸方向Ｌの移動に関わらずガイド孔４２の端部に当接し、シャッター保持部材１２０が光軸方向Ｌの所定位置に位置付けられる。
【００２７】
第４レンズ保持部材８０は、図２〜図４に示すように、樹脂材料により形成され、レンズＧ４を保持すると共に、ガイドロッド８３により光軸方向Ｌに移動自在に案内され、駆動機構１００により光軸方向Ｌに駆動される。
駆動機構１００は、ベース１０に固定されたステッピングモータ１０１、ステッピングモータ１０１により駆動されるリードスクリュー１０２、第４レンズ保持部材８０に保持されリードスクリュー１０２に螺合するナット１０３等から構成され、第４レンズ保持部材８０を光軸方向Ｌに前進及び後退させて合焦動作（フォーカシング）を行う。
【００２８】
駆動機構９０は、図２〜図４に示すように、モータ９１、複数の歯車９２Ａ〜９２Ｃからなる歯車列９２等を備えている。
歯車９２Ａはモータ９１の回転軸に固定され、歯車９２Ｂ，９２Ｃはベース１０上に回転自在に支持され、歯車９２Ａ〜９２Ｃの順に噛合し、最終段の歯車９２Ｃがカム筒３０のラック部３１に噛合している。これにより、モータ９１の回転が減速されてカム筒３０に伝達される。
【００２９】
次に、上記レンズ鏡胴を備えるレンズ駆動装置がデジタルカメラに搭載された場合の一般的な動作について図２〜図４及び図６を参照して説明する。
先ず、非撮影時において、カム筒３０及び第１〜第４レンズ保持部材５０〜８０は、図２に示すように、光軸方向Ｌの後方に向けて後退した沈胴位置にある。この沈胴位置においては、カム筒３０とガイド筒４０は、図６に示す相対位置ＰＡにあり、フォロアピン５２，６２は、第１及び第２カム溝３３，３４において終端部３３ｅ，３４ｅの近傍に位置し、フォロアピン７２は第３カム溝３６において案内溝３７の近傍に位置している。
【００３０】
この沈胴位置から、駆動機構９０によりカム筒３０が一方向に回転すると、フォロアピン３２がカム溝２１により駆動され、カム筒３０が固定筒２０から繰り出すと共に、フォロアピン５２，６２，７２がガイド孔４１に案内されつつ第１、第２及び第３カム溝３３，３４，３６により駆動されて、第１、第２及び第３レンズ保持部材５０の光軸方向Ｌの相対位置が第１、第２及び第３のカム溝３３，３４，３６のカムプロフィルにしたがって変化し、図３に示すように、広角撮影位置に移動する。この広角撮影位置では、カム筒３０及び第１レンズ保持部材５０は、最も繰り出された位置にある。又、カム筒３０とガイド筒４０は、図６に示す相対位置ＰＢにある。
【００３１】
この広角撮影位置から、駆動機構９０によりカム筒３０が同一方向にさらに回転すると、カム筒３０及び第１レンズ保持部材５０は、同位置に保持され、又、フォロアピン６２がガイド孔４１に案内されつつ第２カム溝３４により駆動されて、光軸方向Ｌの後方に向かって繰り込み、さらに、フォロアピン７２がガイド孔４１に案内されつつ第３カム溝３６により駆動されて、光軸方向Ｌの前方に向かって僅かに繰り出し、図４に示すように、望遠撮影位置に移動する。
この望遠撮影位置では、カム筒３０とガイド筒４０は、図６に示す相対位置ＰＣにあり、フォロアピン５２，６２は、第１及び第２カム溝３３，３４の共通案内溝３５の近傍に位置し、フォロアピン７２は第３カム溝３６の終端部３６ｅの近傍に位置している。
【００３２】
尚、広角撮影位置から望遠撮影位置に至るいずれの撮影位置においても、第４レンズ保持部材８０は、ステッピングモータ１０１の回転により光軸方向Ｌに駆動され、フォーカシングが行われる。
また、モータ９０が逆回転すると、歯車列９２を介してカム筒３０は逆向きに回転し、第１〜第３レンズ保持部材５０，６０，７０は望遠撮影位置から逆の経路を辿って、広角撮影位置、沈胴位置へと移動する。また、第４レンズ保持部材８０も、ステッピングモータ１０１の回転により光軸方向Ｌに駆動されて、所定の位置に移動する。
【００３３】
上記のような一連の駆動において、第１、第２及び第３カム溝３３，３４，３６は、傾斜角度（圧力角）を小さく維持しつつ長さが延長されて形成されているため、第１、第２及び第３レンズ保持部材５０，６０，７０は円滑に駆動されて、短時間で高精度に位置決めされ、又、モータ９１の消費電力が低減される。
【００３４】
次に、第１、第２及び第３レンズ保持部材５０，６０，７０のカム筒３０への組み付け手順について図１２ないし図１５を参照して説明する。
先ず、図１２（ａ）及び図１３に示すように、カム筒３０の内側にガイド筒４０を装着すると共に、カム筒３０をガイド筒４０に対して共通案内溝３５とガイド孔４１とが合致するように回転させる。
次いで、図１３に示すように、第１及び第２レンズ保持部材５０，６０の間にスプリング５５を介在させた状態にして、第１及び第２レンズ保持部材５０，６０のフォロアピン５２，６２を共通案内溝３５にカム筒３０の後方から挿入する。このとき、スプリング５５は、第１及び第２レンズ保持部材５０，６０に対して相反する向きの付勢力を及ぼすため、第１レンズ保持部材５０のフォロアピン５２が光軸方向Ｌの最も前方側に当接した状態で第２レンズ保持部材６０のフォロアピン６２が第２カム溝３４の入口を通り越して第１カム溝３３側へ落ち込むのを防止でき、第２カム溝３４の入口に対する位置決めを容易にする。
【００３５】
第２レンズ保持部材６０のフォロアピン６２が第２カム溝３４の入口に達したところでカム筒３０を一方向に回転させると、図１２（ａ）に示すように、フォロアピン５２，６２はそれぞれ第１及び第２カム溝３３，３４に挿入され、図１２（ｂ）に示すように、終端部３３ｅ，３４ｅに達する。このとき、フォロアピン５２，６２が終端部３３ｅ，３４ｅに当接することにより、カム筒３０の回転が規制されてカム筒３０とガイド筒４０とが相対的に位置決めされる。この状態においては、ガイド孔４１と案内溝３７とが合致している。又、第１及び第２レンズ保持部材５０，６０は、図１４に示すように、光軸方向Ｌの前方に繰り出している。
【００３６】
次いで、図１２（ｂ）及び図１５に示すように、シャッター保持部材１２０と第３レンズ保持部材７０の間にスプリング７５を介在させて、シャッター保持部材１２０の突出ピン１２２及び第３レンズ保持部材７０のフォロアピン７２をカム筒３０の後方からガイド孔４２及び案内溝３７にそれぞれ挿入すると、フォロアピン７２は第３カム溝３６へ導かれる。
ここで、カム筒３０を逆向きに回転させると、図１２（ｂ）に示すように、フォロアピン７２は第３カム溝３６のカム作用をなす領域に挿入される。これにより、第１、第２及び第３レンズ保持部材５０，６０，７０のカム筒３０への組み付けが完了する。
【００３７】
尚、カム筒３０をガイド孔４１と案内溝３７とが合致するように回転させて第３レンズ保持部材７０をカム筒３０から外し、さらに、カム筒３０を逆向きに回転させてガイド孔４１と共通案内溝３５を合致させて第１及び第２レンズ保持部材５０，６０をカム筒３０から外すことにより、第１、第２及び第３レンズ保持部材５０，６０，７０をカム筒３０から分解することができる。
【００３８】
本実施形態によれば、第１、第２及び第３レンズ保持部材５０，６０，７０を光軸方向Ｌにおいて同じ向きからカム筒３０に組み付け及びカム筒３０から取り外せるので、共通案内溝３５及び案内溝３７をカム筒３０の光軸方向Ｌの前後にそれぞれ形成する場合に比較して、組み付け作業をし易くなり組立工数を削減することができる。
【００３９】
上記実施形態においては、共通案内溝３５が光軸方向Ｌにおける前側の第１及び第２レンズ保持部材５０，６０のフォロアピン５２，６２を共通に案内する場合について説明したが、これに限定されるものではなく、光軸方向Ｌの後側から順に本発明の第１、第２及び第３レンズ保持部材として、カム筒が後側の第２及び第３レンズ保持部材６０，７０のフォロアピン６２，７２を共通に案内する共通案内溝を備える構成とすることも可能である。
また、カム溝３３，３４を後端面３０ｅ側に形成し、カム溝３６を前端面側に形成することも可能である。
【００４０】
上記実施形態においては、共通案内溝３５及び案内溝３７をカム筒３０の後端面３０ｅｅから光軸方向Ｌに伸長するように形成したが、これに限定されるものではなく、共通案内溝３５及び案内溝３７がカム筒３０の前端面から光軸方向Ｌに伸長するように形成することも可能であり、又、共通案内溝３５及び案内溝３７の一方を前端面から、他方を後端面から光軸方向Ｌに伸長するように形成することも可能である。
【００４１】
上記実施形態においては、フォロアピン５２，６２，７２を共通に案内するガイド孔４１をガイド筒４０に形成した場合について説明したが、これに限定されるものではなく、フォロアピン５２，６２を共通に案内するガイド孔とフォロアピン７２を共通に案内するガイド孔とを別々に形成することも可能である。
【００４２】
上記実施形態においては、カム筒３０が３つのカム溝を有する場合について説明したが、これに限定されるものではなく、４つ以上のカム溝を備える場合にも本発明を適用できる。
【００４３】
上記実施形態においては、付勢手段としてスプリング５５を用いた場合について説明したが、これに限定されるものではなく、例えば、第１及び第２レンズ保持部材に対向して永久磁石を取り付け、これらの磁力（反発力）を利用して付勢することも可能である。
【産業上の利用可能性】
【００４４】
以上述べたように、本発明のレンズ鏡胴は、ディジタルスチルカメラ、ディジタルビデオカメラ等に搭載されるのは勿論のこと、銀塩フィルム式のカメラにおいても同様に適用できる。
【図面の簡単な説明】
【００４５】
【図１】本発明に係るレンズ鏡胴を組み込んだレンズ駆動装置の一実施形態を示す正面図である。
【図２】レンズ鏡胴が沈胴位置にある状態を示す断面図である。
【図３】レンズ鏡胴が広角撮影位置にある状態を示す断面図である。
【図４】レンズ鏡胴が望遠撮影位置にある状態を示す断面図である。
【図５】レンズ鏡胴の一部をなすカム筒を示すものであって、（ａ）は側面図、（ｂ）は正面図である。
【図６】カム筒の内周面に形成されたカム溝及び案内溝を示す展開図である。
【図７】レンズ鏡胴の一部をなすガイド筒を示すものであって、（ａ）は側面図、（ｂ）は正面図である。
【図８】ガイド筒に形成されたガイド孔を示す展開図である。
【図９】レンズ鏡胴の一部をなす第１レンズ保持部材を示すものであって、（ａ）は側面図、（ｂ）は正面図である。
【図１０】レンズ鏡胴の一部をなす第２レンズ保持部材を示すものであって、（ａ）は側面図、（ｂ）は正面図である。
【図１１】レンズ鏡胴の一部をなす第３レンズ保持部材を示すものであって、（ａ）は側面図、（ｂ）は正面図である。
【図１２】第１、第２及び第３レンズ保持部材のカム筒への組み付け手順を説明するための展開図である。
【図１３】第１及び第２レンズ保持部材をカム筒へ組み付ける前の状態を示す断面図である。
【図１４】第１及び第２レンズ保持部材をカム筒へ組み付けた状態を示す断面図である。
【図１５】シャッター保持部材及び第３レンズ保持部材をカム筒へ組み付ける前の状態を示す断面図である。
【符号の説明】
【００４６】
Ｌ…光軸方向
Ｇ１，Ｇ２，Ｇ３，Ｇ４…レンズ
１０…ベース
２０…固定筒
２１…カム溝
３０…カム筒
３１…ラック部
３２…フォロアピン
３３…第１カム溝
３３ｅ…終端部
３４…第２カム溝
３４ｅ…終端部
３５…共通案内溝
３６…第３カム溝
３６ｅ…終端部
３７…案内溝
４０…ガイド筒
４１，４２…ガイド孔
５０…第１レンズ保持部材
５２…フォロアピン
５５…スプリング(付勢手段)
６０…第２レンズ保持部材
６２…フォロアピン
７０…第３レンズ保持部材
７２…フォロアピン
７５…スプリング
８０…第４レンズ保持部材
８２…フォロアピン
８３…ガイドロッド
９０…駆動機構
９１…モータ
９２…歯車列
１００…駆動機構
１２０…シャッター保持部材
１２２…突出ピン
【図１】
2006017903.tif 000003
【図２】
2006017903.tif 000004
【図３】
2006017903.tif 000005
【図４】
2006017903.tif 000006
【図５】
2006017903.tif 000007
【図６】
2006017903.tif 000008
【図７】
2006017903.tif 000009
【図８】
2006017903.tif 000010
【図９】
2006017903.tif 000011
【図１０】
2006017903.tif 000012
【図１１】
2006017903.tif 000013
【図１２】
2006017903.tif 000014
【図１３】
2006017903.tif 000015
【図１４】
2006017903.tif 000016
【図１５】
2006017903.tif 000017